(57)【要約】【課題】自由に工具を使用できる付属工具付き粘着テープカッターを提供する。【解決手段】グリップ１０、粘着テープ装着部およびカッターを有する。グリップ１０内には収容部２４を有し、その中には固定器３０を有し、収容部２４内には工具４４を挿入可能である。工具４４上には結合部４８を有し、固定器３０と結合し、工具４４が収容部２４内に固定される。グリップ１０の底端は、凹部２８を有し、工具４４を収容部２４内に固定する際、凹部２８は工具４４の一部分を露出可能である。固定器３０は、ひっかけ部品３４を有し、一端がひっかけ部品３４に連接していて、もう一端は自由端になっており、自由端は鈎部を有し、工具４４の結合部４８と結合する。これにより、工具４４はグリップ２０内に収められ、あるいは、グリップ１０から取り出して使用可能である。【選択図】図３
0003127190.tif 000002
【実用新案登録請求の範囲】
【請求項１】
グリップ、粘着テープ装着部およびカッターを備え、
前記グリップは内部に収容部を有し、その中には固定器を有し、前記グリップの収容部内には工具を挿入可能であり、前記工具上には結合部を有し、前記固定器と結合し、前記工具が前記グリップの収容部内に固定され、前記工具は前記グリップ内に収められ、あるいは、前記グリップから取り出して使用可能であることを特徴とする付属工具付き粘着テープカッター。
【請求項２】
前記グリップの底端は、凹部を有し、前記工具を前記収容部内に固定する際、前記凹部は前記工具の一部分が露出可能であることを特徴とする請求項１記載の付属工具付き粘着テープカッター。
【請求項３】
前記固定器は、ひっかけ部品を有し、一端が前記ひっかけ部品に連接していて、もう一端は自由端になっており、前記自由端は鈎部を有し、前記工具の結合部と結合することを特徴とする請求項１記載の付属工具付き粘着テープカッター。
【請求項４】
前記工具の結合部は、凸ブロックとなっていることを特徴とする請求項３記載の付属工具付き粘着テープカッター。
【請求項５】
前記固定器は、ベースを有し、ベースは通し孔を有し、前記工具が通過することを特徴とする請求項１記載の付属工具付き粘着テープカッター。
【請求項６】
前記固定器は、ばねアームを有し、その外端には凸ブロックを有していて、前記グリップは孔を有していて、前記凸ブロックと結合することを特徴とする請求項１記載の付属工具付き粘着テープカッター。
【請求項７】
前記固定器は、ベースを有し、ベースは通し孔を有し、前記工具が通過し、二つのひっかけ部品を有し、ひっかけ部品は前記通し孔の両側に位置していることを特徴とする請求項１記載の付属工具付き粘着テープカッター。
【考案の詳細な説明】
【技術分野】
【０００１】
本考案は、粘着テープカッターと関連があり、特に、一種の付属工具付き粘着テープカッターを指す。
【背景技術】
【０００２】
創作者が以前創作した開封ナイフ付き粘着テープカッター（米国特許第６，４７８，０６７）は、片手で握るグリップ、グリップ頂端に設けられた基板、基板後方に軸接続された回転ベース、前方に設けられたベースボディ、ベースボディ上に設けられたカッターおよび基板上に軸接続され、カッター下方に位置する回転筒を有している。該ベースボディの外端には移動可能な開封ナイフが設けられていて、必要な際、前へ押し出して貨物を開封するのに用いることができ、不要なときは、内部に収めることができる。
該開封ナイフは、基本的に粘着テープカッター上に固定されていて、取り外し不可能なため、使用上、一定の制約がある。
【考案の開示】
【考案が解決しようとする課題】
【０００３】
本考案の主要な目的は、一種の付属工具付き粘着テープカッターを提供することにあり、それは、粘着テープカッターの主要構造を変えない前提の下、自由に使用可能な工具を提供するものである。
【課題を解決するための手段】
【０００４】
上述の創作目的を達成するため、本考案の提供する付属工具付き粘着テープカッターは、主に、粘着テープカッターのグリップ内部の収容部に固定器を設けており、該グリップの収容部内に工具を挿入することが可能で、該工具上には結合部を有し、該固定器と結合し、該工具を該グリップ内の収容部内に固定する。これにより、工具はグリップ内に収められ、あるいは、該グリップ内から取り出して使用されることができる。
【考案を実施するための最良の形態】
【０００５】
本考案の構造および特徴について詳細な説明を行うため、以下に比較的優れた実施例を挙げ、ならびに図面を組み合わせて説明する。
図１を参照する。本考案の一実施例による付属工具付き粘着テープカッターは、以下のものを含む。グリップ１０は、その上に基板１２が連接されている。該基板１２の後端には粘着テープ装着部１４を有していて、それは輪状となっており、粘着テープが装着される。前端には回転輪１６、カッターベース１８、その上に設けられたカッター２０および押さえ板２２を有している。
【０００６】
以上の構造は一般の手持ち式粘着テープカッターと同様のものであり、本考案の特徴は下記のようになっている。
図３を参照する。該グリップ１０内には収容部２４を有しており、かつ該グリップ１０の底端は開放状を呈している。該グリップ１０の前後側部にはそれぞれ孔２６があり、該収容部２４に通じている。該グリップ１０の底端両側にはそれぞれ凹部２８がある。
【０００７】
固定器３０は、ベース３２、二つのひっかけ部品３４および二つのばねアーム３６を有している。該ベース３２は通し孔３８を有し、該ひっかけ部品３４は該通し孔３８の両側に位置している。各ひっかけ部品３４は、一端が該ベース３２に連接していて、もう一端が自由端となっている。該ひっかけ部品３４の自由端は、鈎部４０を有し、該ベース３２の通し孔３８に面している。該二つのばねアーム３６は該ベース３２の頂端から外に向かって延伸しており、その外側にはそれぞれ凸ブロック４２を有している。該固定器３０は該グリップ１０の収容部２４内に挿入されることができ、該二つのばねアーム３６上の凸ブロック４２は該グリップ１０の孔２６と結合する（図５参照）。これにより、該固定器３０は該グリップ１０の収容部２４内に固定される。
【０００８】
工具４４は、図中ではカッターナイフが表示されていて、ボディシェル４６およびカッター（未表示）を有していて、該ボディシェル４６内から伸び出ることができる。該ボディシェル４６の両側にはそれぞれ結合部４８があり、それは凸ブロックあるいは開いた孔となっている。該カッターナイフ４４は該グリップ１０の収容部２４に挿入されることができ、該固定器３０の通し孔３８を通過し、該固定器３０の二つのひっかけ部品３４は該カッターナイフ４４の二つの結合部４８にひっかかり、該カッターナイフ４４を該グリップ１０の収容部２４内に固定する（図４および図７参照）。この時、該グリップ１０の底端の二つの凹部２８からは該カッターナイフ４４の一部分が露出し、したがって、使用者は該カッターナイフ４４を握り掴むことができ、該カッターナイフ４４を該固定器３０のひっかけ部品３４から分離させ、該カッターナイフ４４を取り出して使用することができる（図２参照）。
【０００９】
以上の構造により、本実施例は、一般の手持ち式粘着テープカッターの主要構造を変えることなく、テープカッターのグリップ内部の空間を利用することで、付属工具（カッターナイフ）を装着し、使用可能としている。
さらに、補足説明として、該固定器は該グリップの構造の一部分となることができる。すなわち、該固定器は一つの独立した部品ではなく、該グリップに設置された該固定器の関連構造となる。あるいは、該固定器は一つの独立した部品であり、接着剤を利用して該グリップの収容部内に直接固定される。このほか、該工具については、カッターナイフ以外にも、ドライバー、レンチあるいはその他の適当な工具でもよく、該固定器は工具の外形に従って特別に設計されることにより、該工具を該グリップ内に固定することができる。
【図面の簡単な説明】
【００１０】
【図１】本考案の一実施例による付属工具付き粘着テープカッターのカッターナイフが粘着テープカッター内に収容された状態を示す正面図である。
【図２】本考案の一実施例による付属工具付き粘着テープカッターのカッターナイフが粘着テープカッターから離れた状態を示す正面図である。
【図３】本考案の一実施例による付属工具付き粘着テープカッターのグリップを示す分解斜視図である。
【図４】本考案の一実施例による付属工具付き粘着テープカッターのグリップを示す正面図である。
【図５】図４を５−５線で切断した断面図である。
【図６】本考案の一実施例による付属工具付き粘着テープカッターのグリップを示す右側面図である。
【図７】図４を７−７線で切断した断面図である。
【符号の説明】
【００１１】
１０  グリップ、１２  基板、１４  粘着テープ装着部、１６  回転輪、１８  カッターベース、２０  カッター、２２  押さえ板、２４  収容部、２６  孔、２８  凹部、３０  固定器、３２  ベース、３４  ひっかけ部品、３６  ばねアーム、３８  通し孔、４０  鈎部、４２  凸ブロック、４４  工具（カッターナイフ）、４６  ボディシェル、４８  結合部
【図１】
0003127190.tif 000003
【図２】
0003127190.tif 000004
【図３】
0003127190.tif 000005
【図４】
0003127190.tif 000006
【図５】
0003127190.tif 000007
【図６】
0003127190.tif 000008
【図７】
0003127190.tif 000009